(57)【特許請求の範囲】
【請求項１】
内部部品を収容する筐体と、
外部からコネクタプラグを接続可能なコネクタ部と、
前記筐体内部に固定される板金部材と、
前記板金部材と一体化されるとともに前記コネクタ部の周囲を環状に囲って前記コネクタ部を保持する金属性のコネクタ枠部と、
前記コネクタ枠部に樹脂が一体的に成型されてなる樹脂被覆部と、
を具備し、
前記樹脂被覆部により前記コネクタ部と前記コネクタ枠部とが絶縁されている、
携帯型電子装置。
【請求項２】
前記樹脂被覆部における前記筐体内方から前記コネクタ部が挿入される側に、前記コネクタ部を挿入容易とする面取りが形成されている、
請求項１記載の携帯型電子装置。
【請求項３】
前記コネクタ部の周辺に固着されて前記筐体内における前記コネクタ部の周囲のスペースを埋める樹脂ブロック、
をさらに具備する請求項１記載の携帯型電子装置。
【請求項４】
前記コネクタ部は、
Ｍｉｃｒｏ−ＵＳＢ（Universal Serial Bus）の規格に準ずる、
請求項１記載の携帯型電子装置
【請求項５】
携帯端末装置であって、
一方が開口するとともに内部に前記開口の径より浅い収容スペースを有する前記筐体と、
前記開口の面に沿った方向へ広がる向きで前記収容スペースに収容されて内部部品を保持する前記板金部材と、
前記開口を塞ぐように前記筐体に固定される表示パネルと、
を具備する請求項１から請求項４の何れか１項に記載の携帯型電子装置。
【発明の詳細な説明】
【技術分野】
【０００１】
本発明は、コネクタ部を有する携帯型電子装置に関する。
【背景技術】
【０００２】
従来、携帯電話機、携帯型音楽プレーヤ、携帯型コンピュータ、ならびに、デジタルカメラなど、コネクタ部を有する携帯型電子装置がある。
【０００３】
特許文献１には、コネクタ部を有する電子機器において、コネクタ部の補強を行う構造が示されている。この補強構造は、外部接続コネクタを筐体と補強板金とにより挟み込み、補強板金を筐体にネジ止めする構造である。
【先行技術文献】
【特許文献】
【０００４】
【特許文献１】特開２００８−１９９２２９号公報
【発明の概要】
【発明が解決しようとする課題】
【０００５】
筐体は比較的に剛性が低い。従って、コネクタ部を筐体に支持させた構造では、例えばコネクタ部をこじる力が働いたときに、コネクタ部が比較的に大きく変位してコネクタ部と基板等との接続箇所を強固に保護しにくいという課題がある。
【０００６】
また、コネクタ部と、補強板金のような周辺の金属部品とが導通した状態に接触すると、金属部品に電気ノイズが伝わって周囲に電磁ノイズを発生させることが考えられた。このような場合、周囲に無線電波を受信するアンテナがある場合に、このアンテナの受信特性に悪影響を及ぼすという課題が生じる。
【０００７】
本発明の目的は、コネクタ部の接続箇所を容易に且つ強固に保護できる構造を有した携帯型電子装置を提供することである。
【課題を解決するための手段】
【０００８】
本発明の一態様に係る携帯型電子装置は、内部部品を収容する筐体と、外部からコネクタプラグを接続可能なコネクタ部と、前記筐体内部に固定される板金部材と、前記板金部材と一体化されるとともに前記コネクタ部の周囲を環状に囲って前記コネクタ部を保持する金属性のコネクタ枠部と、前記コネクタ枠部に樹脂が一体的に成型されてなる樹脂被覆部と、を具備し、前記樹脂被覆部により前記コネクタ部と前記コネクタ枠部とが絶縁されている構成を採る。
【発明の効果】
【０００９】
本発明によれば、筐体内部に固定されて筐体の剛性を高める板金部材と一体化されているコネクタ枠部によってコネクタ部が囲われて保持されるので、コネクタ部の接続箇所を容易に且つ強固に保護することができる。
【図面の簡単な説明】
【００１０】
【図１】実施の形態の携帯端末装置を示す分解斜視図
【図２】板金部材をコネクタ枠部のある側から見た斜視図
【図３】樹脂成型後の板金部材のコネクタ枠部の周辺部位を正面側から見た平面図
【図４】樹脂成型後の板金部材のコネクタ枠部の周辺部位をコネクタの差込方向から見た平面図
【図５】コネクタ枠部にコネクタ部が保持された状態の斜視図
【図６】図５のＡ−Ａ線断面図
【図７】図５のＢ−Ｂ線断面図
【発明を実施するための形態】
【００１１】
以下、本発明の各実施の形態について図面を参照して詳細に説明する。
【００１２】
図１は、本発明の実施の形態の携帯端末装置を示す分解斜視図である。
【００１３】
この実施の形態の携帯端末装置（携帯型電子装置に相当）は、所謂スマートフォンと呼ばれる多機能携帯電話機である。
【００１４】
＜全体構成＞
この携帯端末装置は、図１に示すように、表示パネル１０と、板金部材２０と、電子基板４０と、電子部品４４と、電池パック４８と、筐体５０とを備えている。
【００１５】
以下では、特に断らない限り、携帯端末装置の前後上下の方向を、表示パネル１０側を前方、筐体５０側を後方（背面側）、電子基板４０が配置される側を上方、電池パック４８が配置される側を下方として説明する。
【００１６】
筐体５０は、一方の広い面が開口され、内部に開口の径より浅い収容スペースが形成された、所謂バスタブ型のものであり、樹脂により形成されている。筐体５０の内側壁の所定位置（図１の右奥側）には、外部からコネクタプラグが差し込まれるプラグ差込孔５２が形成されている。
【００１７】
また、筐体５０の内側面には、板金部材２０を固定する被係止部５５が複数形成されている。被係止部５５には係止溝５５ａが形成されている。また、筐体５０の内側の四隅には、板金部材２０をネジ固定するネジ孔５８が設けられている。
【００１８】
筐体５０の開口周縁部には、表示パネル１０を接着固定する固定面５１が形成されている。
【００１９】
電子基板４０には、通信機能、表示機能および入出力機能などの様々な機能を提供する回路部品が設けられている。また、電子基板４０には、表示パネル１０とフレキシブルケーブルを介して接続されるコネクタ４１と、外部からコネクタプラグが接続されるコネクタ部（コネクタレセプタクル）４２とが固定されている。コネクタ部４２は、例えば、Ｍｉｃｒｏ−ＵＳＢの規格に準ずるコネクタであり、具体的には、Ｍｉｃｒｏ−Ｂ型のレセプタクルである。
【００２０】
電子部品４４は、特に制限されるものでないが、アンテナ素子と、静電タッチセンサと、発光素子とが設けられた一方に長いブロック状の部品である。
【００２１】
板金部材２０は、金属板をプレス加工および曲げ加工して構成される。さらに、板金部材２０には、その一部に樹脂がインサート成型により形成されている。板金部材２０は、筐体５０の開口に沿った方向に広がる凡そ矩形状であり、周囲には板面に対してほぼ直角に折り曲げられた起立部２２ａ〜２２ｆ（図１と図２を参照）が形成されている。起立部２２ａ〜２２ｆは板金部材２０の剛性を高める作用を及ぼす。
【００２２】
板金部材２０の左側の縁部と右側の縁部には、複数の箇所に、筐体５０の被係止部５５に係止される係止部３２が樹脂により形成されている。係止部３２は、板金部材２０にインサート成型により形成された樹脂により構成される。係止部３２は、筐体５０の被係止部５５に収容されるブロック部と、被係止部５５の係止溝５５ａに係止される係止爪とを備える。
【００２３】
板金部材２０の四隅には筐体５０にネジ固定するための貫通孔２３が設けられている。
【００２４】
表示パネル１０は、例えばＯＬＥＤ（Organic light-Emitting Diode：有機発光ダイオード）を面状に形成してなり、前面が強化パネルにより覆われてなる。
【００２５】
この実施の形態の携帯端末装置は、図１に示すように、正面側（図１の上方）から、表示パネル１０、板金部材２０および電子部品４４、電子基板４０および電池パック４８、筐体５０の順で組み重ねられて、互いに保持および固定される。
【００２６】
詳細には、板金部材２０の左右の縁部は、主に係止部３２と被係止部５５との係合によって複数個所で筐体５０に固定される。また、板金部材２０と筐体５０とは四隅がネジにより固定される。これらの固定構造により、板金部材２０の周囲は筐体５０と強固に結合して筐体５０の剛性が高められる。
【００２７】
表示パネル１０は、その周囲が筐体５０の固定面５１に接着剤により固着されて固定される。
【００２８】
＜コネクタ部＞
図２は、板金部材をコネクタ枠部のある側から見た斜視図、図３は、樹脂成型後の板金部材のコネクタ枠部の周辺部位を正面側から見た平面図、図４は、樹脂成型後の板金部材のコネクタ枠部の周辺部位をコネクタの差込方向から見た平面図である。図３および図４において樹脂部分は斜線により示している。
【００２９】
板金部材２０には、樹脂成型前の構成である図２に示すように、コネクタ部４２の配置部位に、コネクタ部４２の周囲を環状に囲ってコネクタ部４２の先端部位を保持するコネクタ枠部２４が形成されている。コネクタ枠部２４は、板金部材２０を構成する金属板を折り曲げて形成されている。
【００３０】
コネクタ枠部２４の周囲には、図３と図４に示すように、インサート成型により周囲を樹脂で覆ってなる樹脂被覆部２５、２６が形成される。樹脂被覆部２５、２６は、コネクタ部４２の金属部分と、コネクタ枠部２４および板金部材２０との直接的な接触（導通接触）を防止するように形成される。樹脂被覆部２５、２６は、樹脂が板金部材２０に設けられた貫通孔を埋めて板金部材２０の一方の面と他方の面とに広がるように成型されて、板金部材２０から取れ難い構造になっている。
【００３１】
また、コネクタ枠部２４および樹脂被覆部２５は、中央に貫通孔２４ａ，２５ａが形成され、この貫通孔２４ａ，２５ａにコネクタ部４２の先端が通される。
【００３２】
図５は、コネクタ枠部にコネクタ部が保持された状態の斜視図、図６は、図５のＡ−Ａ線断面図、図７は、図５のＢ−Ｂ線断面図である。なお、図５では電子基板４０を省いて示している。図６と図７では、コネクタプラグの挿入口に蓋５９（外蓋５９ａ、中蓋５９ｂ、パッキン５９ｃ）が嵌められている。
【００３３】
図５〜図７に示されるように、コネクタ部４２は電子基板４０に搭載された状態で、先端部がコネクタ枠部２４および樹脂被覆部２５の貫通孔２４ａ，２５ａを少し通過した状態（図６参照）で保持される。このとき、金属のコネクタ枠部２４とコネクタ部４２との間には、樹脂被覆部２５が介在するため、コネクタ部４２と板金部材２０とはこの部位において絶縁されている。
【００３４】
また、図６と図７に示されるように、樹脂被覆部２５の貫通孔２５ａの内部側には、コネクタ部４２の先端を装置内方から挿入する際に、コネクタ部４２を挿入しやすくする面取り２５ｂが形成されている。この面取り２５ｂは、装置の内方から外方にかけて樹脂被覆部２５の貫通孔２５ａの径を狭くしていく傾斜に形成されている。
【００３５】
また、図５〜図７に示すように、コネクタ部４２の近傍にはアンテナ素子６１が設けられている。ここで、板金部材２０の一部であるコネクタ枠部２４は、樹脂被覆部２５によりコネクタ部４２と絶縁されている。従って、コネクタ部４２のノイズがコネクタ枠部２４に伝わって電磁ノイズが発生することが防止され、アンテナ素子６１の特性劣化が回避されている。
【００３６】
また、コネクタ部４２と筐体５０の内背面との間には、比較的に大きなスペースが開いているが、このスペースを埋めるために、コネクタ部４２の背面に樹脂ブロック３１が貼り付けられている。この樹脂ブロック３１は、外部からコネクタ部４２をこじる力が付加されて、コネクタ部４２が変位した場合でも、樹脂ブロック３１がこの変位を抑えつけて、筐体５０の側からこの変形を抑制する作用を及ぼす。
【００３７】
以上のように、この実施の形態の携帯端末装置によれば、コネクタ部４２が板金部材２０と一体的なコネクタ枠部２４に囲まれて保持される。従って、コネクタ部４２を容易に且つ強固に固定することができ、コネクタ部４２をこじる力が働いても、コネクタ部４２と電子基板４０との固定箇所を強固に保護することができる。
【００３８】
また、コネクタ枠部２４は樹脂被覆部２５に覆われているので、コネクタ部４２とコネクタ枠部２４とを絶縁して、コネクタ枠部２４からの電磁ノイズ等の発生を抑制することができる。
【００３９】
以上、本発明の各実施の形態について説明した。
【００４０】
なお、上記実施の形態では、コネクタ枠部２４を折り曲げ加工により形成した例を説明したが、コネクタ枠部２４は溶接により板金部材２０と固着する構成としてもよい。また、コネクタ枠部２４とグランドとの接続が確実に行われるなど電磁ノイズの影響が少ない場合には、樹脂被覆部２５を省略して、コネクタ枠部２４のみでコネクタ部４２を保持および固定する構成としてもよい。また、コネクタ部としては、ＵＳＢ規格のコネクタに限定されるものではなく、携帯型電話装置の外部接続に用いられるコネクタであればよい。
【産業上の利用可能性】
【００４１】
本発明は、携帯電話機、携帯型音楽プレーヤ、携帯型コンピュータ、ならびに、デジタルカメラなど、コネクタ部を有する携帯型電子装置に有用である。
【符号の説明】
【００４２】
１０  表示パネル
２０  板金部材
２４  コネクタ枠部
２４ａ  貫通孔
２５，２６  樹脂被覆部
２５ａ  貫通孔
３１  樹脂ブロック
４０  電子基板
４２  コネクタ部
５０  筐体
５２  プラグ差込孔
【図１】
0005567607.tif 000002
【図２】
0005567607.tif 000003
【図３】
0005567607.tif 000004
【図４】
0005567607.tif 000005
【図５】
0005567607.tif 000006
【図６】
0005567607.tif 000007
【図７】
0005567607.tif 000008